(57)【要約】【課題】キー局以外のネット局で、放送ネットワークを利用したネット番組において、キー局のコンテンツやコンテンツに関するメタデータを利用し、サーバ型放送を行うにあたり、キー局のコンテンツに関するメタデータを自局のコンテンツのメタデータとして、受信機に配信することができるようなメタデータ配信装置を提供する。【解決手段】抽出変換テーブル１０５ｂと局固有データ１０５ｃを利用してキー局のコンテンツのメタデータから自局でネット放送するネット番組のコンテンツのメタデータを抽出変換し、抽出変換されたメタデータを配信するので、キー局のコンテンツのメタデータを自局のコンテンツのメタデータとして、受信機に配信することができる。これにより、キー局以外のネット局で、ネット放送するネット番組において、キー局のコンテンツのメタデータを利用し、サーバ型放送を行うことが可能となる。【選択図】図１
2006325134.tif 000002
【特許請求の範囲】
【請求項１】
サーバ型放送システムにおけるコンテンツのメタデータを配信するメタデータ配信装置において、
ネット局の編成データをもとに自局でネット放送するネット番組のコンテンツの情報と変換情報を定義した抽出変換テーブルを生成する抽出変換テーブル生成手段と、
前記抽出変換テーブルと局固有データを利用してキー局のコンテンツのメタデータから前記自局でネット放送するネット番組のコンテンツのメタデータを抽出変換するメタデータ抽出変換手段と、
前記メタデータ抽出変換手段により抽出変換されたメタデータを配信するメタデータ配信手段と、
を備えるメタデータ配信装置。
【請求項２】
前記ネット局の編成データは、コンテンツを放送するネット局のサービスの識別子を表すサービスIDと、前記コンテンツのイベントの識別子を表すイベントIDと、前記コンテンツの開始時刻を表す開始時刻と、前記コンテンツの終了時刻を表す終了時刻と、前記コンテンツがネット番組のコンテンツかローカル番組のコンテンツかを示すN/Lと、前記コンテンツを放送するキー局のサービスの識別子を表すキー局サービスIDと、を含む請求項１に記載のメタデータ配信装置。
【請求項３】
前記局固有データは、放送事業者を表す放送事業者と、ネットワークの識別子を表すネットワークIDと、トランスポートストリームの識別子を表すトランスポートストリームIDと、を含む請求項１又は２に記載のメタデータ配信装置。
【発明の詳細な説明】
【技術分野】
【０００１】
本発明は、サーバ型放送システムにおけるコンテンツのメタデータを配信するメタデータ配信装置に関する。
【背景技術】
【０００２】
近年、ＢＳ（Broadcasting Satellite）、ＣＳ（Communication Satellite）、地上向け放送で既にデジタル放送が実用化されている。デジタル放送のオプション的なサービスのひとつとして、放送開始が予定されているサーバー型放送では、放送された映像などのコンテンツやコンテンツに関する情報を受信機に蓄積し活用するサービスが検討されている。
【０００３】
そのサービスとしては、コンテンツのタイトル、概要などのコンテンツの一般的な情報、コンテンツのロケーションに関する情報、コンテンツの映像ストリームの区間に関する情報など、コンテンツに関するメタデータを利用し、ユーザへのコンテンツのナビゲーション、コンテンツの伝送路上のロケーション解決、蓄積されたコンテンツの映像ストリームの一部区間を再生し、見所のみを抽出して視聴するダイジェスト視聴などのサービスが行われる見込みである。
【０００４】
従来、地上向け放送では、通常、全国一律の番組（コンテンツ）と地方独自の番組（コンテンツ）を混在させて放送している。この混在を実現するため、キー局と呼ばれる主幹局を中心として、複数の放送局をネット局とする放送ネットワークを形成することで、番組（コンテンツ）を供給し合う形を取り、キー局では、番組（コンテンツ）を放送するとともに、回線などで放送ネットワーク上に配信する。キー局以外のネット局では、その局独自の番組（コンテンツ）と放送ネットワークからのネット番組（コンテンツ）を、それぞれのタイムスケジュールに応じて混在させ、自局の番組（コンテンツ）として放送している。
【０００５】
なお、ＥＰＧ（Electronic Program Guide）などの番組情報を連携する方法として、連携する局の番組情報と自局の番組情報を置き換える方法（例えば、特許文献１参照）などがある。
【０００６】
【特許文献１】ＷＯ２００２／０７８２２５公報
【発明の開示】
【発明が解決しようとする課題】
【０００７】
サーバ型放送では、コンテンツだけでなく、ユーザへのコンテンツのナビゲーション、コンテンツの伝送路上のロケーション解決、コンテンツの映像ストリームのダイジェスト視聴などのサービスを行うため、コンテンツに関するメタデータについても、受信機に配信する見込みである。
【０００８】
デジタル放送のオプションサービスであるサーバ型放送を地上向け放送で行う場合、キー局以外のネット局では、コストの掛かるサーバ型放送のコンテンツやコンテンツに関するメタデータを自局で制作するのではなく、前述のように、放送ネットワークを利用したネット番組において、キー局のコンテンツやコンテンツに関するメタデータを利用し、サーバ型放送を行うことが想定される。
【０００９】
そのためには、キー局以外のネット局では、放送ネットワークからのキー局のコンテンツを自局のコンテンツとして放送するだけでなく、キー局のコンテンツに関するメタデータを自局のコンテンツに関するメタデータとして、受信機に配信する仕組みが新たに必要である。
【００１０】
本発明は、係る事情に鑑みてなされたものであり、キー局以外のネット局で、放送ネットワークを利用したネット番組において、キー局のコンテンツやコンテンツに関するメタデータを利用し、サーバ型放送を行うにあたり、キー局のコンテンツに関するメタデータを自局のコンテンツのメタデータとして、受信機に配信することができるようなメタデータ配信装置を提供することを目的とする。
【課題を解決するための手段】
【００１１】
上記目的は下記構成により達成される。
（１）  サーバ型放送システムにおけるコンテンツのメタデータを配信するメタデータ配信装置において、ネット局の編成データをもとに自局でネット放送するネット番組のコンテンツの情報と変換情報を定義した抽出変換テーブルを生成する抽出変換テーブル生成手段と、前記抽出変換テーブルと局固有データを利用してキー局のコンテンツのメタデータから前記自局でネット放送するネット番組のコンテンツのメタデータを抽出変換するメタデータ抽出変換手段と、前記メタデータ抽出変換手段により抽出変換されたメタデータを配信するメタデータ配信手段と、を備える。
【００１２】
（２）  上記（１）に記載のメタデータ配信装置において、前記ネット局の編成データは、コンテンツを放送するネット局のサービスの識別子を表すサービスIDと、前記コンテンツのイベントの識別子を表すイベントIDと、前記コンテンツの開始時刻を表す開始時刻と、前記コンテンツの終了時刻を表す終了時刻と、前記コンテンツがネット番組のコンテンツかローカル番組のコンテンツかを示すN/Lと、前記コンテンツを放送するキー局のサービスの識別子を表すキー局サービスIDと、を含む。
【００１３】
（３）  上記（１）又は（２）に記載のメタデータ配信装置において、前記局固有データは、放送事業者を表す放送事業者と、ネットワークの識別子を表すネットワークIDと、トランスポートストリームの識別子を表すトランスポートストリームIDと、を含む。
【発明の効果】
【００１４】
上記（１）に記載のメタデータ配信装置によれば、抽出変換テーブルと局固有データを利用してキー局のコンテンツのメタデータから自局でネット放送するネット番組のコンテンツのメタデータを抽出変換し、抽出変換されたメタデータを配信するので、キー局のコンテンツのメタデータを自局のコンテンツのメタデータとして、受信機に配信することができる。これにより、キー局以外のネット局で、ネット放送するネット番組において、キー局のコンテンツのメタデータを利用し、サーバ型放送を行うことが可能となる。
【００１５】
上記（２）に記載のメタデータ配信装置によれば、上記（１）に記載のメタデータ配信装置による効果と同様な効果が得られる。
【００１６】
上記（３）に記載のメタデータ配信装置によれば、上記（１）に記載のメタデータ配信装置による効果と同様な効果が得られる。
【発明を実施するための最良の形態】
【００１７】
以下、本発明の一実施の形態について、図面を用いて詳細に説明する。
【００１８】
図１は、本実施の形態に係るメタデータ配信装置を含むサーバ型放送システムの要部構成を示すブロック図である。
【００１９】
図１において、本実施の形態におけるサーバ型放送システム１００は、キー局のコンテンツに関するキー局のメタデータの集合１０２を放送ネットワークに送出するキー局の放送装置１０１と、キー局のメタデータの集合１０２及びネット局の編成データ１０３が供給されネット局のメタデータの集合１０４を出力するメタデータ配信装置１０５と、を備えている。
【００２０】
メタデータ配信装置１０５は、ネット局の編成データ１０３をもとにネット局において自局でネット放送するネット番組のコンテンツの情報と変換情報を定義した抽出変換テーブル１０５ｂを生成する抽出変換テーブル生成部１０５ａと、抽出変換テーブル生成部１０５ａにて生成される抽出変換テーブル１０５ｂと、局固有の情報を定義した局固有データ１０５ｃと、抽出変換テーブル１０５ｂと局固有データ１０５ｃを利用してキー局のコンテンツのメタデータ（キー局のメタデータの集合１０２）から自局でネット放送するネット番組のコンテンツのメタデータを抽出変換するメタデータ抽出変換部１０５ｄと、メタデータ抽出変換部１０５ｄにて抽出変換されたメタデータを配信するメタデータ配信部１０５ｅと、を備えている。
【００２１】
図１において、キー局の放送装置１０１から放送ネットワークに送出されたキー局のメタデータの集合１０２には、キー局のコンテンツに関する情報が記述されている。キー局のメタデータの集合１０２において、コンテンツに関する情報を記述したメタデータの例を図２及び図３に示す。図２は、コンテンツに関する一般的な情報を表すメタデータを記述した例であり、１行が１つのコンテンツに関する一般的な情報のメタデータを表す。図２の１行目２０１では、コンテンツのメタデータの種別を表す項目「メタデータ種」２０２は、「ProgramInformation」であり、コンテンツの識別子を表す項目「コンテンツの識別子」２０３は、放送事業者がaaa.co.jp、コンテンツがaaaを表す「Crid://aaa.co.jp/aaa」であり、コンテンツのタイトルを表す項目「タイトル」２０４は、「ドラマスペシャル」であることを示す。
【００２２】
図３は、コンテンツに関するロケーションを表すメタデータを記述した例であり、１行が１つのコンテンツに関するロケーションのメタデータを表す。図３の１行目３０１では、コンテンツのメタデータの種別を表す「メタデータ種」３０２は、「ProgramLocation」であり、コンテンツの識別子を表す項目「コンテンツの識別子」３０３は、放送事業者がaaa.co.jp、コンテンツがaaaを表す「Crid://aaa.co.jp/aaa」であり、コンテンツの開始時刻を表す項目「開始時刻」３０４は、コンテンツの放送開始を絶対時刻で2005年1月30日9時00分00秒を表す「2005/01/30 09:00:00」であり、コンテンツの終了時刻を表す項目「終了時刻」３０５は、コンテンツの放送終了を絶対時刻で2005年1月30日10時00分00秒を表す「2005/01/30 10:00:00」であり、コンテンツの伝送路上のロケーションを表す項目「ロケーション」３０６は、コンテンツの伝送路上のロケーションのネットワークの識別子が1234、トランスポートストリームの識別子が2345、サービス識別子が3456、イベント識別子が4567を表す「arib://1234/2345/3456/4567」であることを示す。
【００２３】
ここで、図１において、抽出変換テーブル生成部１０５ａは、ネット局の編成データ１０３をもとに、ネット局において自局でネット放送するネット番組のコンテンツの情報と変換情報を定義した抽出変換テーブル１０５ｂを生成し、メタデータ抽出変換部１０５ｄへ渡す。メタデータ抽出変換部１０５ｄはキー局の放送装置１０１から放送ネットワークに送出されたキー局のメタデータの集合１０２から抽出変換テーブル１０５ｂに従い、メタデータを抽出変換し、抽出変換結果としてネット局のメタデータの集合１０４を出力する。メタデータ配信部１０５ｅは、抽出変換結果であるネット局のメタデータの集合１０４をリアルタイムに送出する。
【００２４】
図４は、ネット局の編成データ１０３の例であり、１行が１つのコンテンツの編成データを表す。図４の１行目４０１では、コンテンツを放送するネット局のサービスの識別子を表す項目「サービスID」４０２は、「7654」であり、コンテンツのイベントの識別子を表す項目「イベントID」４０３は、「6544」であり、コンテンツの開始時刻を表す項目「開始時刻」４０４は、コンテンツの放送開始を絶対時刻で2005年1月30日9時00分00秒を表す「2005/01/30 09:00:00」であり、コンテンツの終了時刻を表す項目「終了時刻」４０５は、コンテンツの放送終了を絶対時刻で2005年1月30日10時00分00秒を表す「2005/01/30 10:00:00」であり、コンテンツがネット番組のコンテンツかネット局独自の、すなわちローカル番組のコンテンツかを示す項目「N/L」４０６は、「ネット番組」であり、コンテンツを放送するキー局のサービスの識別子を表す項目「キー局サービスID」４０７は、「3456」であることを示す。
【００２５】
図５は、局固有データ１０５ｃの例であり、放送事業者を表す項目「放送事業者」５０１は、「bbb.co.jp」であり、ネットワークの識別子を表す項目「ネットワークID」５０２は、「9876」であり、トランスポートストリームの識別子を表す項目「トランスポートストリームID」５０３は、「8765」であることを示す。
【００２６】
ここで、図１において、ネット局の編成データ１０３及び局固有データ１０５ｃを読み込んだ抽出変換テーブル生成部１０５ａは、ネット番組のコンテンツの情報と変換情報を定義した抽出変換テーブル１０５ｂを生成する。
【００２７】
図６は、ネット番組のコンテンツの情報と変換情報を定義した抽出変換テーブル１０５ｂの例であり、１行が１つのコンテンツの抽出変換情報を表す。図６の１行目６０１では、抽出変換するコンテンツの開始時刻を表す項目「開始時刻」６０２の値には、「開始時刻」４０４の値である「2005/01/30 09:00:00」が設定され、抽出変換するコンテンツの開始時刻を表す項目「終了時刻」６０３の値には、「終了時刻」４０５の値である「2005/01/30 10:00:00」が設定され、コンテンツを放送するキー局のサービスの識別子を表す項目「キー局サービスID」６０４の値には、「キー局サービスID」４０７の値である「3456」が設定され、ネット局の放送事業者を表す項目「放送事業者」６０５の値には、「放送事業者」５０１の値である「bbb.co.jp」が設定され、ネット局でのロケーションを表す項目「ロケーション」６０６の値には、ネットワークの識別子を表す項目「ネットワークID」５０２の値である「9876」、トランスポートストリームの識別子を表す項目「トランスポートストリームID」５０３の値である「8765」、サービスの識別子を表す項目「サービスID」４０２の値である「7654」、イベントの識別子を表す「イベントID」４０３の値である「6544」をマージし、「arib://9876/8765/7654/6544」が設定される。
【００２８】
ここで、図１において、抽出変換テーブル１０５ｂを渡されたメタデータ抽出変換部１０５ｄは、図３に示したコンテンツのロケーションを表すメタデータと図６に示した抽出変換テーブル１０５ｂを比較し、ネット局においてネット放送するネット番組のコンテンツのメタデータを抽出変換する。キー局からのコンテンツのロケーションを表すメタデータ（図３）のコンテンツの開始時刻を表す項目「開始時刻」３０４の値と、コンテンツの終了時刻を表す項目「終了時刻」３０５の値の範囲に、抽出変換テーブル１０５ｂ（図６）のコンテンツのネット局での開始時刻を表す項目「開始時刻」６０２の値と、コンテンツのネット局での終了時刻を表す項目「終了時刻」６０２の値が含まれ、キー局からのコンテンツのロケーションを表すメタデータのコンテンツの伝送上のロケーションを表す項目「ロケーション」３０６のサービスの識別子を表す値と、抽出変換テーブル１０５ｂ（図６）のキー局のサービスの識別子を表す「キー局サービスID」６０４が一致するコンテンツのロケーションを表すメタデータを抽出する。抽出したキー局からのコンテンツのロケーションを表すメタデータの項目「コンテンツの識別子」３０３を用いて図２に示したコンテンツの一般的な情報を表すメタデータから、一致する項目「コンテンツの識別子」２０３を検索し、コンテンツの一般的な情報を表すメタデータを抽出する。抽出したコンテンツの一般的な情報を表すメタデータの項目「コンテンツの識別子」２０３及びコンテンツのロケーションを表すメタデータの項目「コンテンツの識別子」３０３、項目「開始時刻」３０４、項目「終了時刻」３０５、項目「ロケーション」３０６を抽出変換テーブル１０５ｂを用いて変換する。図２のコンテンツの一般的な情報を表すメタデータを抽出変換した抽出変換結果例を図７、図３のコンテンツのロケーションを表すメタデータを抽出変換した変換結果例を図８にそれぞれ示す。
【００２９】
図７の１行目７０１において、項目「メタデータ種」７０２の値には、項目「メタデータ種」２０２の値である「ProgramInformation」が設定され、項目「コンテンツの識別子」７０３の値には、「コンテンツの識別子」２０３の値である「Crid://aaa.co.jp/aaa」の放送事業者を表す値に、項目「放送事業者」６０５の値「bbb.co.jp」が設定された「Crid://bbb.co.jp/aaa」が設定され、項目「タイトル」７０４の値には、項目「タイトル」２０４の値「ドラマスペシャル」が設定される。
【００３０】
図８の１行目８０１において、項目「メタデータ種」８０２の値には、項目「メタデータ種」３０２の値である「ProgramLocation」が設定され、項目「コンテンツの識別子」８０３の値には、「コンテンツの識別子」３０３の値である「Crid://aaa.co.jp/aaa」の放送事業者を表す値に、項目「放送事業者」６０５の値「bbb.co.jp」が設定された「Crid://bbb.co.jp/aaa」が設定され、項目「開始時刻」８０４の値には、項目「開始時刻」６０２の値「2005/01/30 09:00:00」が設定され、項目「終了時刻」８０５の値には、項目「終了時刻」６０３の値「2005/01/30 10:00:00」が設定され、項目「ロケーション」８０６の値には、項目「ロケーション」６０６の値「arib://9876/8765/7654/6544」が設定される。
【００３１】
以上のように、本実施の形態のメタデータ配信装置１０５によれば、抽出変換テーブル１０５ｂと局固有データ１０５ｃを利用してキー局のコンテンツのメタデータから自局でネット放送するネット番組のコンテンツのメタデータを抽出変換し、抽出変換されたメタデータを配信するので、キー局のコンテンツのメタデータを自局のコンテンツのメタデータとして、受信機に配信することができる。これにより、キー局以外のネット局で、ネット放送するネット番組において、キー局のコンテンツのメタデータを利用し、サーバ型放送を行うことが可能となる。
【産業上の利用可能性】
【００３２】
本発明は、キー局以外のネット局で、放送ネットワークを利用したネット番組において、キー局のコンテンツやコンテンツに関するメタデータを利用し、サーバ型放送を行うにあたり、キー局のコンテンツに関するメタデータを自局のコンテンツのメタデータとして、受信機に配信することができるという効果を有し、サーバ型放送システム等に用いて有用である。
【図面の簡単な説明】
【００３３】
【図１】本発明の一実施の形態に係るメタデータ配信装置を含むサーバ型放送システムの要部構成を示すブロック図
【図２】上記実施の形態におけるコンテンツに関する一般的な情報を表すメタデータを記述した例を示す図
【図３】上記実施の形態におけるコンテンツに関するロケーションを表すメタデータを記述した例を示す図
【図４】上記実施の形態におけるネット局の編成データの例を示す図
【図５】上記実施の形態における局固有データの例を示す図
【図６】上記実施の形態におけるネット番組のコンテンツの情報と変換情報を定義した抽出変換テーブルの例を示す図
【図７】上記実施の形態におけるコンテンツの一般的な情報を表すメタデータの抽出変換結果例を示す図
【図８】上記実施の形態におけるコンテンツのロケーションを表すメタデータの抽出変換結果例を示す図
【符号の説明】
【００３４】
１００  サーバ型放送システム
１０１  キー局の放送装置
１０２  キー局のメタデータの集合
１０３  ネット局の編成データ
１０４  ネット局のメタデータの集合
１０５  メタデータ配信装置
１０５ａ  抽出変換テーブル生成部
１０５ｂ  抽出変換テーブル
１０５ｃ  局固有データ
１０５ｄ  メタデータ抽出変換部
１０５ｅ  メタデータ配信部
【図１】
2006325134.tif 000003
【図２】
2006325134.tif 000004
【図３】
2006325134.tif 000005
【図４】
2006325134.tif 000006
【図５】
2006325134.tif 000007
【図６】
2006325134.tif 000008
【図７】
2006325134.tif 000009
【図８】
2006325134.tif 000010